(57)【特許請求の範囲】
【請求項１】
映像を示す映像データを編集するデータ編集部と、
前記映像の再生期間を区切るために設定された区切れ目を記憶している区切れ目記憶部と、を有し、
前記データ編集部は、編集後の前記映像データが示す前記映像の再生期間中、前記区切れ目に相当する時点に前記区切れ目に応じた音声が発生するように前記映像データを編集することを特徴とする映像データ編集装置。
【請求項２】
操作者の指定操作を受け付ける操作受け付け部を有し、
該操作受け付け部は、編集前の前記映像データが示す前記映像が再生されている間に前記操作者によって行われる前記指定操作を受け付け、
前記区切れ目記憶部は、編集前の前記映像データが示す前記映像の再生期間中、前記操作受け付け部が前記指定操作を受け付けた時点を前記区切れ目として記憶していることを特徴とする請求項１に記載の映像データ編集装置。
【請求項３】
前記データ編集部は、ある作業の開始時点から終了時点までに亘って前記ある作業の様子を記録した作業映像を示す前記映像データを編集することを特徴とする請求項１又は２に記載の映像データ編集装置。
【請求項４】
前記データ編集部は、複数の工程からなる前記ある作業の前記作業映像を示す前記映像データを編集し、
前記区切れ目記憶部は、前記工程の開始時点又は終了時点に相当する時点を前記区切れ目として記憶していることを特徴とする請求項３に記載の映像データ編集装置。
【請求項５】
前記データ編集部は、複数の前記工程のうちの少なくとも一つが複数の単位作業からなる前記ある作業の前記作業映像を示す前記映像データを編集し、
前記区切れ目記憶部は、前記工程の開始時点又は終了時点に相当する時点、及び、前記単位作業の開始時点又は終了時点に相当する時点を前記区切れ目として記憶していることを特徴とする請求項４に記載の映像データ編集装置。
【請求項６】
前記データ編集部は、編集後の前記映像データが示す前記作業映像の再生期間中、前記工程の開始時点又は終了時点に相当する時点、及び、前記単位作業の開始時点又は終了時点に相当する時点に前記区切れ目に応じた音声が発生するように前記映像データを編集し、
前記工程の開始時点又は終了時点に相当する時点に発生する音声と、前記単位作業の開始時点又は終了時点に相当する時点に発生する音声とが互いに異なっていることを特徴とする請求項５に記載の映像データ編集装置。
【請求項７】
前記データ編集部は、編集後の前記映像データが示す前記作業映像の再生期間中に前記区切れ目に応じた音声が前記区切れ目に応じた音声以外の音声よりも大きい音量にて発生するように前記映像データを編集することを特徴とする請求項４乃至６のいずれか一項に記載の映像データ編集装置。
【請求項８】
コンピュータが、映像の映像データを編集する映像データ編集方法であって、
前記コンピュータは、編集後の前記映像データが示す前記映像の再生期間中、当該再生期間を区切るために設定された区切れ目に相当する時点に前記区切れ目に応じた音声が発生するように前記映像データを編集することを特徴とする映像データ編集方法。
【請求項９】
コンピュータによって読み取られて実行されるコンピュータプログラムであって、
前記コンピュータを、映像を示す映像データを編集するデータ編集部と、前記映像の再生期間を区切るために設定された区切れ目を記憶している区切れ目記憶部と、を有する映像データ編集装置として機能させ、
編集後の前記映像データが示す前記映像の再生期間中、当該再生期間を区切るために設定された区切れ目に相当する時点に前記区切れ目に応じた音声が発生するように前記映像データを前記データ編集部によって編集させることを特徴とするコンピュータプログラム。
【請求項１０】
前記コンピュータを、操作者の指定操作を受け付ける操作受け付け部を更に有する前記映像データ編集装置として機能させ、
前記操作受け付け部によって、編集前の前記映像データが示す前記映像が再生されている間に前記操作者によって行われる前記指定操作を受け付けさせ、
前記区切れ目記憶部に、編集前の前記映像データが示す前記映像の再生期間中、前記操作受け付け部が前記指定操作を受け付けた時点を前記区切れ目として記憶させることを特徴とする請求項９に記載のコンピュータプログラム。
【請求項１１】
前記データ編集部によって、ある作業の開始時点から終了時点までに亘って前記ある作業の様子を記録した作業映像を示す前記映像データを編集させることを特徴とする請求項９又は１０に記載のコンピュータプログラム。
【請求項１２】
前記データ編集部によって、複数の工程からなる前記ある作業の前記作業映像を示す前記映像データを編集させ、
前記区切れ目記憶部に、前記工程の開始時点又は終了時点に相当する時点を前記区切れ目として記憶させることを特徴とする請求項１１に記載のコンピュータプログラム。
【請求項１３】
前記データ編集部によって、複数の前記工程のうちの少なくとも一つが複数の単位作業からなる前記ある作業の前記作業映像を示す前記映像データを編集させ、
前記区切れ目記憶部に、前記工程の開始時点又は終了時点に相当する時点、及び、前記単位作業の開始時点又は終了時点に相当する時点を前記区切れ目として記憶させることを特徴とする請求項１２に記載のコンピュータプログラム。
【請求項１４】
前記データ編集部によって、編集後の前記映像データが示す前記作業映像の再生期間中、前記工程の開始時点又は終了時点に相当する時点、及び、前記単位作業の開始時点又は終了時点に相当する時点に前記区切れ目に応じた音声が発生するように前記映像データを編集させ、
前記工程の開始時点又は終了時点に相当する時点に発生する音声と、前記単位作業の開始時点又は終了時点に相当する時点に発生する音声とが互いに異なっていることを特徴とする請求項１３に記載のコンピュータプログラム。
【請求項１５】
前記データ編集部によって、編集後の前記映像データが示す前記作業映像の再生期間中に前記区切れ目に応じた音声が前記区切れ目に応じた音声以外の音声よりも大きい音量にて発生するように前記映像データを編集させることを特徴とする請求項１２乃至１４のいずれか一項に記載のコンピュータプログラム。
【発明の詳細な説明】
【技術分野】
【０００１】
本発明は、映像データ編集装置、映像データ編集方法及びコンピュータプログラムに係り、特に、映像の再生期間を区切るために設定された区切れ目を反映して映像データを編集する映像データ編集装置、映像データ編集方法及びコンピュータプログラムに関する。
【背景技術】
【０００２】
映像データを編集し、編集後の映像データが示す映像を再生する装置（映像データ編集装置）は、既に知られている。上述した装置の一例としては、特許文献１に記載の装置（特許文献１では、動画作業マニュアル表示装置）が挙げられる。
【０００３】
特許文献１に記載の装置について説明すると、同装置では、所定の工程における作業員の操作内容が記録された映像（動画情報）を再生する。また、特許文献１に記載の装置では、映像の停止指示を取得した際に、当該映像と連動する音声情報及びテキスト情報のうちの少なくとも一つに基づいて、映像中の所定の工程に関する説明箇所（厳密には、当該説明箇所の開始時点から終了時点までの範囲）を決定する。これにより、映像の再生期間中、所定の工程に関する説明箇所を容易に抽出し、当該説明箇所を簡便に表示することが可能となる。
【先行技術文献】
【特許文献】
【０００４】
【特許文献１】特開２０１３−１２１３８号公報
【発明の概要】
【発明が解決しようとする課題】
【０００５】
ところで、特許文献１のように、ある作業映像の中から所定の工程に関する説明箇所を特定して再生するのではなく、ある作業映像における一連の工程すべてを連続的に再生する場合がある。かかる場合には、ある作業の流れや手順を把握し易くするために、その作業映像の再生期間を工程毎に区切ることがある。このように区切れ目が設定された映像については、当該映像を見ている者が上記の区切れ目を的確に認識し得るように再生される必要がある。
【０００６】
そこで、本発明は、上記の問題に鑑みてなされたものであり、その目的は、映像の再生期間中の区切れ目が的確に認識されるように当該映像のデータを編集することが可能な映像データ編集装置、映像データ編集方法及びコンピュータプログラムを提供することにある。
【課題を解決するための手段】
【０００７】
前記課題は、本発明の映像データ編集装置によれば、（Ａ）映像を示す映像データを編集するデータ編集部と、（Ｂ）前記映像の再生期間を区切るために設定された区切れ目を記憶している区切れ目記憶部と、を有し、（Ｃ）前記データ編集部は、編集後の前記映像データが示す前記映像の再生期間中、前記区切れ目に相当する時点に前記区切れ目に応じた音声が発生するように前記映像データを編集することにより解決される。
【０００８】
上記のように構成された本発明の映像データ編集装置では、編集後の映像データが示す映像の再生期間中、区切れ目に相当する時点に当該区切れ目に応じた音声が発生するように映像データを編集する。これにより、映像を見ている者は、上記の音声を通じて、映像の再生期間中における区切れ目を的確に認識することが可能となる。
【０００９】
また、上記の映像データ編集装置において、操作者の指定操作を受け付ける操作受け付け部を有し、該操作受け付け部は、編集前の前記映像データが示す前記映像が再生されている間に前記操作者によって行われる前記指定操作を受け付け、前記区切れ目記憶部は、編集前の前記映像データが示す前記映像の再生期間中、前記操作受け付け部が前記指定操作を受け付けた時点を前記区切れ目として記憶しているとよい。
上記の構成では、操作者が映像を見ながら行った指定操作を受け付けた時点が区切れ目として設定される。これにより、区切れ目が操作者の意思を反映して設定されるようになる。そして、本発明の映像データ編集装置の機能により、上記の要領で設定された区切れ目を的確に認識することが可能となる。
【００１０】
また、上記の映像データ編集装置において、前記データ編集部は、ある作業の開始時点から終了時点までに亘って前記ある作業の様子を記録した作業映像を示す前記映像データを編集してもよい。
上記の構成では、ある作業の様子を記録した映像（作業映像）のデータを編集対象とする。これにより、本発明の効果がより有意義なものとなる。具体的に説明すると、上記の構成では、ある作業の手順や流れを把握し易くする等の目的のために、当該ある作業の作業映像の再生期間を区切ることになっている。かかる構成において、区切り目が設定された作業映像を再生している期間中、当該区切り目に相当する時点で所定の音声が発生すれば、映像を見ている者は、当該区切れ目を的確に認識するようになる。この結果、ある作業の手順や流れが把握し易くなる。
【００１１】
また、上記の映像データ編集装置において、前記データ編集部は、複数の工程からなる前記ある作業の前記作業映像を示す前記映像データを編集し、前記区切れ目記憶部は、前記工程の開始時点又は終了時点に相当する時点を前記区切れ目として記憶していてもよい。
上記の構成では、複数の工程からなる作業の作業映像を示す映像データを編集対象とする。そして、上記の構成では、工程の開始時点又は終了時点に相当する時点が区切れ目として設定される。かかる構成であれば、本発明の映像データ編集装置の機能により、作業映像の再生期間中、工程の開始時点又は終了時点を的確に認識することが可能となる。
【００１２】
また、上記の映像データ編集装置において、前記データ編集部は、複数の前記工程のうちの少なくとも一つが複数の単位作業からなる前記ある作業の前記作業映像を示す前記映像データを編集し、前記区切れ目記憶部は、前記工程の開始時点又は終了時点に相当する時点、及び、前記単位作業の開始時点又は終了時点に相当する時点を前記区切れ目として記憶していてもよい。
上記の構成では、複数の工程のうちの少なくとも一つが複数の単位作業からなる作業の作業映像を示す映像データを編集対象とする。そして、上記の構成では、工程の開始時点又は終了時点に相当する時点、及び、単位作業の開始時点又は終了時点に相当する時点が区切れ目として設定される。かかる構成であれば、本発明の映像データ編集装置の機能により、作業映像の再生期間中、工程の開始時点又は終了時点、及び単位作業の開始時点又は終了時点を的確に認識することが可能となる。
【００１３】
また、上記の映像データ編集装置において、前記データ編集部は、編集後の前記映像データが示す前記作業映像の再生期間中、前記工程の開始時点又は終了時点に相当する時点、及び、前記単位作業の開始時点又は終了時点に相当する時点に前記区切れ目に応じた音声が発生するように前記映像データを編集し、前記工程の開始時点又は終了時点に相当する時点に発生する音声と、前記単位作業の開始時点又は終了時点に相当する時点に発生する音声とが互いに異なっているとよい。
上記の構成では、作業映像の再生期間中、工程の開始時点又は終了時点に相当する時点、及び、単位作業の開始時点又は終了時点に相当する時点で所定の音声が発生する。また、工程の開始時点又は終了時点に相当する時点に発生する音声と、単位作業の開始時点又は終了時点に相当する時点に発生する音声と、が異なっている。これにより、工程の開始時点又は終了時点を報知する音声と、単位作業の開始時点又は終了時点を報知する音声と、を容易に聞き分けることが可能となる。
【００１４】
また、上記の映像データ編集装置において、前記データ編集部は、編集後の前記映像データが示す前記作業映像の再生期間中に前記区切れ目に応じた音声が前記区切れ目に応じた音声以外の音声よりも大きい音量にて発生するように前記映像データを編集するとよい。
上記の構成では、作業映像が再生されている間、区切れ目に応じた音声は、それ以外の音声よりも大きい音量にて発生する。これにより、区切れ目に応じた音声が聞き取り易くなる結果、作業映像を見ている者は、区切れ目をより的確に認識することが可能となる。
【００１５】
また、前述した課題は、本発明の映像データ編集方法によれば、コンピュータが、映像の映像データを編集する映像データ編集方法であって、前記コンピュータは、編集後の前記映像データが示す前記映像の再生期間中、当該再生期間を区切るために設定された区切れ目に相当する時点に前記区切れ目に応じた音声が発生するように前記映像データを編集することにより解決される。
上記の方法によれば、コンピュータを用いて、映像の再生期間中の区切れ目が的確に認識されるように当該映像のデータを編集することが可能となる。
【００１６】
また、前述した課題は、本発明のコンピュータプログラムによれば、コンピュータによって読み取られて実行されるコンピュータプログラムであって、前記コンピュータを、映像を示す映像データを編集するデータ編集部と、前記映像の再生期間を区切るために設定された区切れ目を記憶している区切れ目記憶部と、を有する映像データ編集装置として機能させ、編集後の前記映像データが示す前記映像の再生期間中、当該再生期間を区切るために設定された区切れ目に相当する時点に前記区切れ目に応じた音声が発生するように前記映像データを前記データ編集部によって編集させることにより解決される。
上記のコンピュータプログラムを用いれば、コンピュータを本発明の映像データ編集装置として利用することが可能となる。この結果、映像の再生期間中の区切れ目が的確に認識されるように当該映像のデータを編集することが可能となる。
【００１７】
また、上記のコンピュータプログラムについては、前記コンピュータを、操作者の指定操作を受け付ける操作受け付け部を更に有する前記映像データ編集装置として機能させ、前記操作受け付け部によって、編集前の前記映像データが示す前記映像が再生されている間に前記操作者によって行われる前記指定操作を受け付けさせ、前記区切れ目記憶部に、編集前の前記映像データが示す前記映像の再生期間中、前記操作受け付け部が前記指定操作を受け付けた時点を前記区切れ目として記憶させてもよい。
また、上記のコンピュータプログラムについては、前記データ編集部によって、ある作業の開始時点から終了時点までに亘って前記ある作業の様子を記録した作業映像を示す前記映像データを編集させてもよい。
また、上記のコンピュータプログラムについては、前記データ編集部によって、複数の工程からなる前記ある作業の前記作業映像を示す前記映像データを編集させ、前記区切れ目記憶部に、前記工程の開始時点又は終了時点に相当する時点を前記区切れ目として記憶させてもよい。
また、上記のコンピュータプログラムについては、前記データ編集部によって、複数の前記工程のうちの少なくとも一つが複数の単位作業からなる前記ある作業の前記作業映像を示す前記映像データを編集させ、前記区切れ目記憶部に、前記工程の開始時点又は終了時点に相当する時点、及び、前記単位作業の開始時点又は終了時点に相当する時点を前記区切れ目として記憶させてもよい。
また、上記のコンピュータプログラムについては、前記データ編集部によって、編集後の前記映像データが示す前記作業映像の再生期間中、前記工程の開始時点又は終了時点に相当する時点、及び、前記単位作業の開始時点又は終了時点に相当する時点に前記区切れ目に応じた音声が発生するように前記映像データを編集させ、前記工程の開始時点又は終了時点に相当する時点に発生する音声と、前記単位作業の開始時点又は終了時点に相当する時点に発生する音声とが互いに異なっていてもよい。
また、上記のコンピュータプログラムについては、前記データ編集部によって、編集後の前記映像データが示す前記作業映像の再生期間中に前記区切れ目に応じた音声が前記区切れ目に応じた音声以外の音声よりも大きい音量にて発生するように前記映像データを編集させてもよい。
【発明の効果】
【００１８】
本発明によれば、映像の再生期間中の区切れ目が的確に認識されるように当該映像のデータを編集することが可能となる。
【図面の簡単な説明】
【００１９】
【図１】本発明の一実施形態に係る映像データ編集装置の構成を示す図である。
【図２】本発明の一実施形態に係る映像データ編集装置の機能についての説明図である。
【図３】操作画面の一例を示す図である。
【図４】映像の再生期間中の区切れ目についての説明図である。
【図５】映像データを編集する流れを示す図である。
【図６】編集後の映像データが示す映像を表示する流れを示す図である。
【発明を実施するための形態】
【００２０】
以下、本発明の一実施形態（本実施形態）について説明する。なお、以下に説明する実施形態は、本発明の理解を容易にするための一例であり、本発明を限定するものではない。つまり、本発明は、その趣旨を逸脱することなく、変更、改良され得ると共に、本発明にその等価物が含まれることは勿論である。
【００２１】
また、以降の説明や図面に記載された画面の構成例（画面のデザインやレイアウト、及び当該画面に表示される情報）については、あくまでも一例であり、製品仕様やユーザの好み等に応じて任意に設定することが可能である。さらに、表示された画面にてユーザの入力操作を受け付けるために提供されるグラフィックユーザインターフェース（ＧＵＩ）についても、本発明の趣旨を逸脱しない限り、任意に設定可能である。
【００２２】
＜＜本実施形態に係る映像データ編集装置の概要＞＞
先ず、本実施形態に係る映像データ編集装置（以下、本装置１０）について、その概要を説明する。本装置１０は、カメラ等により撮影された映像を示すデータ（映像データ）を編集する装置である。なお、本実施形態において、「編集」とは、ある映像データを素材として新たな映像データを生成することを意味する。ただし、「編集」の意味としては、上記の内容に限定されるものではなく、ある映像データに対して所定の処理を施して当該映像データを更新することであってもよい。
【００２３】
本実施形態では、ある作業の様子を記録した作業映像の映像データを編集するために本装置１０が用いられる。「作業」とは、一連の流れに従って行われる複数の所作（動作）によって構成されるものである。なお、本実施形態では、複数の工程からなる作業の映像を示す映像データを編集対象とする。「工程」とは、作業を構成する単位に相当する。また、本実施形態では、複数の工程のうちの少なくとも一つが複数の単位作業からなる作業の映像を示す映像データを編集対象とする。「単位作業」とは、工程を構成する単位に相当する。
【００２４】
ちなみに、以下では、４つの工程（工程Ａ、Ｂ、Ｃ、Ｄ）からなり、そのうちの一つの工程（具体的には、三番目の工程Ｃ）が３つの単位作業（単位作業Ｃ１、Ｃ２、Ｃ３）からなる作業Ｐの作業映像を示す映像データを編集するケースを例に挙げて説明することとする。ただし、当然ながら、編集対象とする映像データの内容（厳密には、当該映像データが示す作業映像の構成）については、上記の内容に限定されるものではなく、作業中に含まれる工程の数や各工程中に含まれる単位作業の数については任意に決めることが可能である。
【００２５】
また、作業の構成単位について付言すると、当該構成単位は、階層的に分類されており、具体的には「工程」、「単位作業」、「要素作業」、「単位動作」及び「要素動作」という階層に分けられる。本実施形態では、上述したように、２番目の階層である「単位作業」まで細分化することが可能な作業の映像を示す映像データを編集対象としている。ただし、これに限定されるものではなく、より下位の階層まで細分化することが可能な映像を示す映像データを編集対象としてもよい。
【００２６】
本装置１０による映像データ編集の内容について概説すると、本装置１０は、作業映像の再生期間中の区切り目に相当する時点に所定の音声が発生するように、当該作業映像を示す映像データを編集する。「区切れ目」とは、作業映像の再生期間を区切るために設定されたものである。より具体的に説明すると、作業を構成する各工程の開始時点又は終了時点に相当する時点、及び、工程を構成する各単位作業の開始時点又は終了時点に相当する時点が区切れ目として設定されている。「所定の音声」とは、区切れ目を報知するための報知音であり、区切れ目に応じて設定された音声に相当する。なお、報知音としては、ブザー音、チャイム音、アラーム音、短い音楽（ジングル）等が利用可能である。
【００２７】
そして、本装置１０によって編集された映像データ（編集後映像データ）に基づいて作業映像を再生すると、その再生期間において上記の区切れ目に相当する時点に到達すると、上記の報知音が発生する（鳴る）ようになる。このように映像の再生期間中の区切れ目に相当する時点で報知音が発生することにより、映像を見る者（視聴者）は、映像再生期間中の区切れ目を的確に認識することが可能となる。これにより、例えば、ある作業Ｐの作業映像を見ている視聴者は、当該映像の再生期間中、ある作業Ｐを構成する工程や単位作業の開始時点又は終了時点に到達すると、その時点を報知音にて認知するようになる。この結果、視聴者は、ある作業Ｐがどのような手順にて進行するのか、及び、各工程や各単位作業がどのような要領で行われるのかを把握することが可能となる。
【００２８】
なお、本実施形態では、作業映像の再生期間中、最初に現れる区切れ目が一番目の工程の開始時点に相当し、最後に現れる区切れ目が最終工程（具体的には四番目の工程Ｄ）の終了時点に相当する。また、それ以外の区切れ目は、ある工程若しくは単位作業の終了時点に相当し、かつ、その直後の工程若しくは単位作業の開始時点に相当する。つまり、本実施形態において、ある工程若しくは単位作業の終了時点に相当する区切れ目は、その直後の工程若しくは単位作業の開始時点と一致している。ただし、これに限定されるものではなく、ある工程若しくは単位作業の終了時点と、その直後の工程若しくは単位作業の開始時点とが互いに異なるタイミングであり、それぞれの時点が別々の区切れ目として設定されてもよい。
【００２９】
＜＜本実施形態に係る映像データ編集装置の構成及び機能＞＞
次に、本装置１０の構成について説明する。本装置１０は、コンピュータによって構成され、例えばパソコンによって構成されている。ただし、これに限定されるものではなく、本装置１０がネットワーク上のサーバコンピュータによって構成されてもよい。すなわち、サーバコンピュータが本装置１０の機能を備え、当該機能を利用するためのサービス（ＡＳＰサービスやクラウドサービス）を提供し、スマートフォンやタブレット等のクライアント端末でそのサービスを利用する構成であってもよい。
【００３０】
以下の説明では、本装置１０がパソコンによって構成されていることとする。すなわち、本装置１０は、図１に示すように、ＣＰＵ１、メモリ２、ハードディスクドライブ３（図１では、ＨＤＤと表記）、キーボードやマウス等の入力装置４、ディスプレイ５及びスピーカ６を有する。図１は、本装置１０の構成を示す図であり、厳密には、本装置１０を構成するパソコンのハードウェア構成を示している。
【００３１】
また、ハードディスクドライブ３には、パソコンを本装置１０として機能させるためのコンピュータプログラム（以下、データ編集プログラム）が格納されている。このデータ編集プログラムは、本発明のコンピュータプログラムに相当する。そして、データ編集プログラムがＣＰＵ１によって読み出されて実行されることで、本装置１０を構成するパソコンは、本装置１０の機能を発揮し、映像データを編集するための一連の処理を実行する。
【００３２】
次に、本装置１０の機能について説明する。本装置１０は、図２に図示された複数の機能部、具体的には映像データ記憶部１１、映像再生部１２、音声発生部１３、操作受け付け部１４、区切れ目記憶部１５及びデータ編集部１６を有する。図２は、本装置１０の構成を機能面から示した図である。
【００３３】
上述した各機能部は、本装置１０を構成するパソコンのハードウェア機器とデータ編集プログラムとが協働することで実現される。以下、各機能部について説明する。
【００３４】
（映像データ記憶部１１）
映像データ記憶部１１は、本装置１０が取得した映像データを記憶する。映像データ記憶部１１が記憶する映像データは、２種類あり、本装置１０による編集処理が未だ行われていない編集前映像データＤ１、及び編集済みの編集後映像データＤ２である。編集前映像データＤ１は、カメラ等によって撮影された映像及び音声をそのまま再生するためのデータ（厳密には、動画ファイル）である。編集後映像データＤ２は、区切れ目に相当する時点に報知音が組み込まれるように編集前映像データＤ１を編集したものである。
【００３５】
本実施形態において、映像データ記憶部１１には、作業Ｐの作業映像を示す映像データが記憶されている。この映像データは、作業Ｐの開始時点から終了時点までに亘って当該作業Ｐの様子を記録した作業映像を示すデータとなっている。すなわち、映像データ記憶部１１に記憶されている映像データが示す作業Ｐの作業映像は、作業Ｐの実施期間全体を含んだ期間に撮影された映像となっている。なお、本実施形態において、映像データ記憶部１１に記憶されている映像データが示す作業Ｐの作業映像は、作業Ｐの開始時点よりも幾分早い時点に撮影され、かつ、作業Ｐの終了時点よりも幾分遅い時点まで撮影され続けたものとなっている。
【００３６】
（映像再生部１２）
映像再生部１２は、映像データ記憶部１１に記憶された映像データが示す映像を再生させ、当該映像をディスプレイ５に表示させる。なお、映像データ記憶部１１に記憶された映像データのうち、編集前映像データＤ１を読み出すことで表示される映像と、編集後映像データＤ２を読み出すことで表示される映像とは、同一である。
【００３７】
（音声発生部１３）
音声発生部１３は、映像データが示す映像中に組み込まれた音声を発生させ、スピーカ６から当該音声を発する。なお、映像データ記憶部１１に記憶された映像データのうち、編集前映像データＤ１が示す映像中に組み込まれた音声は、当該映像の撮影時に集音された音声であり、作業Ｐの実施期間の中で発生した作業音や作業者の声等である。他方、編集後映像データＤ２が示す映像中に組み込まれた音声は、当該映像の撮影時に集音された音と、区切れ目を報知するための報知音である。つまり、音声発生部１３は、編集後映像データＤ２が示す映像の再生期間中、区切れ目に相当する時点で報知音を発生させる。
【００３８】
より具体的に説明すると、ある作業Ｐの作業映像を示す編集後映像データＤ２を読み出して当該作業映像を再生する間、音声発生部１３は、ある作業Ｐにおける作業音や作業者の声に相当する音声を発生させる。それと共に、音声発生部１３は、ある作業Ｐを構成する工程の開始時点又は終了時点に相当する時点、及び、各工程を構成する単位作業の開始時点又は終了時点に相当する時点で報知音を発生させる。なお、以下では、工程の開始時点又は終了時点に相当する時点で発生させる報知音を、「第一報知音」と呼び、単位作業の開始時点又は終了時点に相当する時点で発生させる報知音を、「第二報知音」と呼ぶ。
【００３９】
なお、本実施形態では、前述したように、ある工程を構成する単位作業のうち、最終の単位作業の終了時点に相当する区切れ目が次の工程の開始時点と一致する。そして、本実施形態では、当該区切れ目を報知するために第一報知音を発生させることにしている。ただし、これに限定されるものではなく、上記の区切れ目を報知する際に第二報知音を発生させてもよく、あるいは、第一報知音及び第二報知音の双方を発生させてもよい。
【００４０】
（操作受け付け部１４）
操作受け付け部１４は、本装置１０の操作者の指定操作を受け付ける。「指定操作」とは、編集前映像データＤ１が示す映像の再生期間において区切れ目の設定箇所を指定するために操作者が行う操作である。
【００４１】
より具体的に説明すると、操作者が指定操作を行うに際して、図３に図示の操作画面がディスプレイ５に描画される。図３は、操作画面の一例を示す図である。そして、操作受け付け部１４は、上記の操作画面を通じて操作者の指定操作を受け付ける。以下、図３を参照しながら、操作画面及び指定操作について詳しく説明する。
【００４２】
操作画面は、データ編集プログラムを起動した上で操作者が所定の画面操作を行うことによりディスプレイ５に描画される。この操作画面の構成について説明すると、図３に示すように、画面左側には映像再生領域Ｓ１が設けられている。この映像再生領域Ｓ１には、映像データ記憶部１１に記憶された映像データが示す映像が表示される。なお、指定操作を行うに際して、映像再生領域Ｓ１には編集前映像データＤ１が示す映像が表示される。
【００４３】
また、映像再生領域Ｓ１の右上には、映像データが示す映像の開始時からの経過時点が表示されている。また、映像再生領域Ｓ１の下方位置には、映像再生に関わる各種の操作ボタン及び再生バーが配置されている。
【００４４】
そして、操作者が映像データ記憶部１１に記憶された映像データ（厳密には、編集前映像データＤ１）の中から一つを選択して操作画面中の再生ボタンを押すと、選択された映像データが示す映像が再生されて映像再生領域Ｓ１に表示されるようになる。映像再生領域Ｓ１に映像が表示されている間、操作者は、当該映像を視聴しながら、区切り目に相当する時点に達したときに所定の操作（例えば、入力装置４としてのマウスの左ボタンをクリック操作）を行う。かかる操作が指定操作に該当する。
【００４５】
指定操作について具体例を挙げながらより詳しく説明すると、作業Ｐの作業映像を示す編集前映像データＤ１を選択して再生ボタンを押すと、作業Ｐの作業映像が映像再生領域Ｓ１に表示されるようになる。操作者は、当該作業映像を視聴しながら、区切れ目に相当する時点に達したときに上記の指定操作を行う。
【００４６】
より具体的に説明すると、操作者は、先ず、作業映像の再生期間中、作業Ｐを構成する工程のうちの最初の工程Ａの開始時点で指定操作を行う。その後、操作者は、工程Ａの終了時点で指定操作を行い、引き続き作業映像を視聴しながら、二番目の工程Ｂ、三番目の工程Ｃ及び最後の工程Ｄのそれぞれの終了時点で指定操作を行う。以上の手順により、作業Ｐの作業映像の再生期間に対して、各工程の開始時点又は終了時点に相当する区切れ目が設定される。
【００４７】
なお、本実施形態において、区切れ目は、映像開始時からの経過時間ｔによって表される。例えば、図４に図示するように、工程Ａの開始時点に相当する区切れ目は、映像開始時からの経過時間ｔがＴＡとなる時点に設定され、工程Ｄの終了時点に相当する区切れ目は、映像開始時からの経過時間ｔがＴＥとなる時点に設定される。図４は、作業Ｐの作業映像の再生期間に対して設定される区切れ目についての説明図であり、各区切れ目の設定箇所を模式的に示した図である。なお、図４中、記号Ｔｅｄは、作業Ｐの作業映像の終了時点（つまり、撮影終了時点）を示している。
【００４８】
次に、操作者は、上記の工程のうち、複数の単位作業からなる工程（具体的には、三番目の工程Ｃ）を特定する。そして、操作者は、特定した工程の映像が再生される期間に対して更に区切れ目を設定するために指定操作を行う。具体的に説明すると、操作者は、作業Ｐの作業映像のうち、三番目の工程Ｃの映像を特定するための操作として、後述する動作リスト領域Ｓ２に表示されたレコードのうち、工程Ｃのレコードを選択する。その上で操作者が操作画面中の再分割ボタンＢｔをクリックすると、工程Ｃの映像（厳密には、工程Ｂの終了時点として設定された区切れ目から、工程Ｃの終了時点として設定された区切れ目に相当する期間の映像）が映像再生領域Ｓ１に表示されるようになる。操作者は、工程Ｃの映像を視聴しながら、区切れ目に相当する時点に達したときに上記と同様の手順にて指定操作を行う。
【００４９】
より具体的に説明すると、操作者は、工程Ｃの映像の再生期間中、一番目の単位作業Ｃ１及び二番目の単位作業Ｃ２の終了時点で指定操作を行う。以上の手順により、作業Ｐの作業映像（より厳密には、工程Ｃの映像）の再生期間に対して、工程Ｃを構成する各単位作業の終了時点に相当する区切れ目が設定される。具体的には、図４に示すように、単位作業Ｃ１の終了時点に相当する区切れ目は、映像開始時からの経過時間ｔがＴＣ１となる時点に設定され、単位作業Ｃ２の終了時点に相当する区切れ目は、映像開始時からの経過時間ｔがＴＣ２となる時点に設定される。ちなみに、工程Ｃを構成する単位作業のうち、最終の単位作業Ｃ３の終了時点に相当する区切れ目については、工程Ｃの終了時点として既に設定されているため、単位作業Ｃ３の終了時点として改めて設定されることはない。
【００５０】
操作画面の説明に戻ると、操作画面の右側には、図３に示すように動作リスト領域Ｓ２が設けられている。この動作リスト領域Ｓ２には、区切れ目にて映像を区切った際の区切れ目間の範囲（以下、動作と呼ぶ）のレコードが表示されている。各動作のレコードには、動作番号、動作の内容、該当する工程、該当する単位作業、開始時点及び終了時点が収録されている。ただし、各動作のレコードに収録される情報については上記の情報に限定されるものではなく、上記以外の情報（例えば、各動作の所定時間等）が含まれてもよい。
【００５１】
動作番号は、各動作に対して割り当てられた番号であり、最初の動作から順に大きくなるように割り当てられる。動作の内容は、何を行っている動作であるのかを示した文字情報であり、入力装置４であるキーボードによって入力される。該当する工程は、複数の工程からなる作業の作業映像を区切れ目にて動作毎に区切った場合に各動作が何の工程に属するのかを示している。該当する単位作業は、作業中のある工程の映像を区切れ目にて動作毎に区切った場合に各動作が何の単位作業に属するのかを示している。開始時点は、各動作の開始時点であり、厳密には、工程又は単位作業の開始時点に相当する区切れ目として設定された時点である。終了時点は、各動作の終了時点であり、厳密には、工程又は単位作業の終了時点に相当する区切れ目として設定された時点である。なお、開始時点及び終了時点は、いずれも映像開始時からの経過時間ｔによって表される。
【００５２】
動作レコードについて図３を参照しながらより詳しく説明すると、図３に図示した操作画面の動作リスト領域Ｓ２には、作業Ｐの作業映像を上述した区切り目にて動作毎に区切ったときの各動作のレコードが表示されている。
【００５３】
具体的に説明すると、動作番号が「１」の動作に関するレコードは、工程Ａに関する情報を示している。動作番号が「２」の動作に関するレコードは、工程Ｂに関する情報を示している。動作番号が「３」〜「５」の動作に関するレコードは、工程Ｃに関する情報を示している。このうち、動作番号が「３」の動作に関するレコードは、工程Ｃ中の一番目の単位作業Ｃ１に関する情報を示しており、動作番号が「４」の動作に関するレコードは、二番目の単位作業Ｃ２に関する情報を示しており、動作番号が「５」の動作に関するレコードは、三番目の単位作業Ｃ３に関する情報を示している。動作番号が「６」の動作に関するレコードは、工程Ｄに関する情報を示している。
【００５４】
また、動作リスト領域Ｓ２に表示された動作レコードの中から、いずれかのレコードを選択する操作を行い、その後に操作画面中の再分割ボタンＢｔをクリックすると、前述したように、選択された動作の映像が再生されて映像再生領域Ｓ１に表示されるようになる。そして、選択された動作映像が再生されている間に操作者が指定操作を行うと、選択された動作の映像の再生期間に対して区切れ目が設定されるようになる。すなわち、選択された動作が新たに設定された区切れ目によって細分化されるようになる。このため、操作者が工程に相当する動作を選択して再分割ボタンＢｔを押した上で指定操作を行うと、当該工程の映像が単位作業毎に区切られるようになる。
【００５５】
（区切れ目記憶部１５）
区切れ目記憶部１５は、上述した要領にて設定された区切れ目を記憶している。厳密に説明すると、区切れ目記憶部１５は、編集前映像データＤ１が示す映像の再生期間中に操作受け付け部１４が指定操作を受け付けた時点を区切れ目として記憶している。また、本実施形態において、各区切れ目は、前述したように映像開始時からの経過時間ｔにて表されている。このため、区切れ目記憶部１５は、映像開始時から各区切れ目までの経過時間ｔを、区切れ目毎に記憶していることになる。
【００５６】
図４を参照しながら、作業Ｐの作業映像の再生期間に対して設定された区切れ目を例に挙げて説明すると、区切れ目記憶部１５は、映像開始時からの経過時間ｔがＴＡとなる時点に設定された区切れ目を、工程Ａの開始時点に相当する区切れ目として記憶している。また、区切れ目記憶部１５は、映像開始時からの経過時間ｔがＴＢとなる時点に設定された区切れ目を、工程Ａの終了時点（換言すると、工程Ｂの開始時点）に相当する区切れ目として記憶している。同様に、映像開始時からの経過時間ｔがＴＣとなる時点は、工程Ｂの終了時点（換言すると、工程Ｃの開始時点）に相当する区切れ目として記憶されている。
【００５７】
また、区切れ目記憶部１５は、映像開始時からの経過時間ｔがＴＣ１となる時点を、工程Ｃ中の一番目の単位作業Ｃ１の終了時点（換言すると、二番目の単位作業Ｃ２の開始時点）に相当する区切れ目として記憶している。同様に、区切れ目記憶部１５は、映像開始時からの経過時間ｔがＴＣ２となる時点を、工程Ｃ中の二番目の単位作業Ｃ２の終了時点（換言すると、最終の単位作業Ｃ３の開始時点）に相当する区切れ目として記憶している。また、区切れ目記憶部１５は、映像開始時からの経過時間ｔがＴＤとなる時点を、工程Ｃの終了時点（換言すると、工程Ｄの開始時点）に相当する区切れ目として記憶している。また、区切れ目記憶部１５は、映像開始時からの経過時間ｔがＴＥとなる時点を、工程Ｄの終了時点に相当する区切れ目として記憶している。
【００５８】
（データ編集部１６）
データ編集部１６は、映像データ（厳密には、編集前映像データＤ１）を編集するものである。本実施形態において、データ編集部１６は、編集後映像データＤ２が示す映像の再生期間中、区切れ目に相当する時点に音声発生部１３が報知音を発生させるように映像データを編集する。
【００５９】
データ編集部１６による映像データの編集について説明すると、本実施形態において、データ編集部１６は、作業Ｐの作業映像を示す映像データを編集する。作業Ｐは、前述したように、４つの工程からなり、そのうちの一つの工程が３つの単位作業によって構成されている。また、作業Ｐの作業映像の再生期間に対して設定される区切り目は、各工程の開始時点又は終了時点、及び、各単位作業の開始時点又は終了時点に設定される。また、設定された各区切れ目は、区切れ目記憶部１５に記憶される。
【００６０】
データ編集部１６は、作業Ｐの作業映像の再生期間に対して設定された区切り目を、区切れ目記憶部１５から読み出して特定する。そして、データ編集部１６は、作業Ｐの作業映像の再生期間中、特定した区切れ目に相当する時点に報知音を発生させるように、作業Ｐの作業映像を示す映像データ（編集前映像データＤ１）を編集する。
【００６１】
より詳しく説明すると、データ編集部１６は、特定した区切れ目が作業Ｐを構成する工程の開始時点又は終了時点に相当する場合には、当該区切れ目に相当する時点に第一報知音を発生させるように、作業Ｐの作業映像を示す映像データを編集する。他方、特定した区切れ目がある工程中の単位作業の開始時点又は終了時点に相当する場合には、当該区切れ目に相当する時点に第二報知音を発生させるように、作業Ｐの作業映像を示す映像データを編集する。
【００６２】
また、本実施形態では、第一報知音と第二報知音とが互いに異なる音声となっている。これにより、報知音が発生した際に、その報知音が第一報知音及び第二報知音のどちらであるのかを容易に聞き分けることが可能となる。この結果、報知音により区切れ目を認識する際に、工程の開始時点又は終了時点に相当する区切れ目であるのか、あるいは単位作業の開始時点又は終了時点に相当する区切れ目であるのかを容易に識別することが可能となる。ちなみに、「異なる音声」とは、メロディや音色若しくは音階等が異なる音声を意味する。
【００６３】
なお、本実施形態では、前述したように、ある工程を構成する単位作業のうち、最終の単位作業の終了時点に相当する区切れ目が次の工程の開始時点と一致する。そして、データ編集部１６は、当該区切れ目に相当する時点に第一報知音が発生するように映像データを編集する。ただし、これに限定されるものではなく、上記の区切れ目に相当する時点に第二報知音が発生するように映像データを編集してもよく、あるいは、第一報知音及び第二報知音の双方が発生するように映像データを編集してもよい。
【００６４】
また、データ編集部１６は、作業Ｐの作業映像を示す編集後映像データＤ２を読み出して当該作業映像が再生されている間、上記の報知音がそれ以外の音声よりも大きい音量にて発生するように編集前映像データＤ１（厳密には、作業Ｐの作業映像を示す編集前映像データＤ１）を編集する。これにより、作業映像の再生期間中において報知音が聞き取り易くなり、区切れ目に相当する時点を容易に認識することが可能となる。
【００６５】
＜＜本実施形態に係る映像データ編集装置の動作例＞＞
次に、本装置１０の動作例として、本装置１０による映像データの編集処理（以下、映像データ編集フローと呼ぶ）について図５を参照しながら説明する。図５は、映像データ編集フローの流れを示す図である。なお、映像データ編集フローでは、本発明の映像データ編集方法が採用されている。つまり、映像データ編集フローに関する以降の説明中には、本発明の映像データ編集方法に関する説明が含まれている。
【００６６】
また、以下では、作業Ｐの作業映像を示す映像データを編集対象として映像データ編集フローを実行するケースを例に挙げて説明することとする。
【００６７】
映像データ編集フローに際して、本装置１０の操作者が図３に図示の操作画面を通じて指定操作を行う。これにより、編集対象の映像データが示す映像（具体的には、作業Ｐの作業映像）の再生期間に対して区切れ目が設定される。そして、設定された区切れ目は、区切れ目記憶部１５に記憶される。
【００６８】
その後、操作者が操作画面を通じて所定の操作（編集開始操作）を行うと、これをトリガーとして本装置１０（より詳しくは、データ編集部１６）が映像データ編集フローを開始する。映像データ編集フローでは、先ず、図５に示すように本装置１０が映像データ記憶部１１に記憶された映像データのうち、作業Ｐの作業映像を示す編集前映像データＤ１を読み出す（Ｓ００１）。その後、本装置１０は、区切れ目記憶部１５に記憶されている区切れ目、厳密には、作業Ｐの作業映像の再生期間に対して設定された区切れ目を特定する（Ｓ００２）。この際、本装置１０は、作業Ｐの作業映像の開始時から各区切れ目までの経過時間ｔを特定することで各区切れ目を特定する。
【００６９】
そして、本装置１０は、特定された各区切れ目に対して順番（作業Ｐの作業映像の開始時から数えたときの順番）を付した上で、最初の区切れ目から順に以降のステップを実施する。具体的に説明すると、本装置１０は、先ず、順番を示すパラメータｉを「１」に設定した上で（Ｓ００３）、ｉ番目の区切れ目が作業Ｐを構成する各工程の開始時点又は終了時点に相当するか否かを判定する（Ｓ００４）。ｉ番目の区切れ目が各工程の開始時点又は終了時点に相当すると判定した場合、本装置１０は、作業Ｐの作業映像中、ｉ番目の区切れ目に相当する箇所に第一報知音を組み込むように編集前映像データＤ１（厳密には、編集途中の映像データ）を編集する（Ｓ００５）。
【００７０】
一方、ｉ番目の区切れ目が各工程の開始時点又は終了時点に相当しないと判定した場合、本装置１０は、さらに、ｉ番目の区切れ目がある工程中の単位作業の終了時点に相当するか否かを判定する（Ｓ００６）。ｉ番目の区切れ目が単位作業の終了時点に相当すると判定した場合、本装置１０は、作業Ｐの作業映像中、ｉ番目の区切れ目に相当する箇所に第二報知音を組み込むように編集前映像データＤ１（厳密には、編集途中の映像データ）を編集する（Ｓ００７）。
【００７１】
その後、本装置１０は、順番を示すパラメータｉを「＋１」だけインクリメントした上で（Ｓ００８）、ｉ番目の区切れ目が存在するか否かを判定する（Ｓ００９）。そして、ｉ番目の区切れ目が存在する場合、本装置１０は、ステップＳ００４〜Ｓ００８を繰り返し実行する。他方、ｉ番目の区切れ目が存在しない場合、映像データ編集フローが終了する。
【００７２】
以上のような手順により映像データ編集フローが実行される結果、作業Ｐの作業映像の再生期間中、設定された区切れ目すべてにおいて報知音が発生するように編集された映像データ（すなわち、編集後映像データＤ２）が生成される。なお、生成された編集後映像データＤ２は、映像データ記憶部１１に記憶されるようになる。
【００７３】
次に、編集後映像データＤ２を読み出して当該データが示す映像をディスプレイ５に表示させる処理（以下、映像表示フローと呼ぶ）について図６を参照しながら説明する。図６は、映像表示フローの流れを示す図である。
【００７４】
映像表示フローは、図６に示すように、本装置１０（厳密には、映像再生部１２）が映像データ記憶部１１に記憶されている編集後映像データＤ２を読み出すところから始まる（Ｓ０１１）。本装置１０は、読み出した編集後映像データＤ２が示す映像、具体的には作業Ｐの作業映像を再生しディスプレイ５に表示させる（Ｓ０１２）。
【００７５】
作業映像の再生期間中、区切れ目に相当する時点に到達すると（Ｓ０１３）、本装置１０は、当該時点に組み込まれている報知音が第一報知音であるか否かを判定する（Ｓ０１４）。判定の結果、区切れ目に相当する時点に組み込まれている報知音が第一報知音である場合には、音声発生部１３が第一報知音を発生させる（Ｓ０１５）。他方、区切れ目に相当する時点に組み込まれている報知音が第二報知音である場合には、音声発生部１３が第二報知音を発生させる（Ｓ０１６）。
【００７６】
なお、報知音を発生させる際、音声発生部１３は、報知音以外の音声よりも大きい音量にて報知音を発生させる。また、音声発生部１３は、第二報知音を発生させる際には、第一報知音とは異なる音声の報知音を発生させる。
【００７７】
上述したステップＳ０１３〜Ｓ０１６は、最後の区切れ目に到達するまでの間、各区切れ目に到達する度に繰り返し実施される（Ｓ０１７）。そして、最後の区切れ目に到達した時点で、音声発生部１３が最後の報知音（第一報知音）を発生させる。その後、作業映像の再生位置が終了位置に達した時点で（Ｓ０１８）、映像表示フローが終了する。
【００７８】
以上のような手順により映像表示フローが実行される結果、視聴者は、作業Ｐの作業映像に対して設定された区切れ目、分かり易くは、作業Ｐを構成する工程の開始時点又は終了時点、及びある工程中の単位作業の開始時点又は終了時点を的確に認識するようになる。
【００７９】
＜＜その他の実施形態＞＞
上記の実施形態では、本発明の映像データ編集装置の構成及び動作について具体例を挙げて説明した。しかしながら、上記の実施形態は本発明の一例に過ぎず、上記以外の実施形態も考えられる。例えば、上記の実施形態では、ある映像の再生期間に対して複数の区切れ目を設定する場合、当該複数の区切れ目がすべて設定された後に、ある映像を示す映像データを編集することとした。ただし、これに限定されるものではなく、区切れ目を新たに設定する都度、上述したデータ編集処理を映像データに対して実行してもよい。
【００８０】
また、上記の実施形態では、編集後の映像データが示す映像を再生する間、区切れ目に到達すると、その時点で報知音を発生させることになっているが、報知音のみならず、映像中に区切れ目であることを示す標識を併せて表示させてもよい。
【００８１】
また、上記の実施形態では、映像データを編集する処理（映像データ編集フロー）と、編集後映像データＤ２が示す映像を再生する処理（映像表示フロー）とが、共通のコンピュータによって実行されることとした。ただし、これに限定されるものではなく、各処理がそれぞれ異なるコンピュータによって実行されてもよい。
【００８２】
また、上記の実施形態では、ディスプレイ５に表示可能な映像が一つのみであるケースを例に挙げて説明したが、これに限定されるものではない。ディスプレイ５に複数の映像を同時表示させてもよい。かかる場合において、編集後の映像データが示す映像（すなわち、報知音が組み込まれた映像）を複数同時にディスプレイ５に表示させるときには、映像間で報知音が異なっていることが望ましい。
【符号の説明】
【００８３】
１  ＣＰＵ
２  メモリ
３  ハードディスクドライブ
４  入力装置
５  ディスプレイ
６  スピーカ
１０  本装置（映像データ編集装置）
１１  映像データ記憶部
１２  映像再生部
１３  音声発生部
１４  操作受け付け部
１５  区切れ目記憶部
１６  データ編集部
Ｂｔ  再分割ボタン
Ｄ１  編集前映像データ
Ｄ２  編集後映像データ
Ｓ１  映像再生領域
Ｓ２  動作リスト領域
【図１】
0006617042.tif 000002
【図２】
0006617042.tif 000003
【図３】
0006617042.tif 000004
【図４】
0006617042.tif 000005
【図５】
0006617042.tif 000006
【図６】
0006617042.tif 000007